(57)【要約】  【課題】切り替えモードのある多機能ステープラー及び各モードの切り替え方法を提供する。  【解決手段】本発明は切り替えモードのある多機能ステープラーを掲示し、多機能ステープラーは第１の針マガジン１０１と、第２の針マガジン１０２と、綴じ針選択部材１０４と、押圧板切り替え部材１０５とを備え、第１の針マガジン及び第２の針マガジンはそれぞれ第１寸法及ひ第２寸法の綴じ針を収納する。綴じ針選択部材は必要な綴じ針に切り替える。押圧板切り替え部材は切り替えられた綴じ針に作用力を加える。多機能ステープラーは、また開孔機及び上蓋を備え、開孔機は開孔の動作を実施する。上蓋は収納スイッチを備えて、多機能ステープラーを完全に閉じらせる。本発明は綴じ針選択部材と押圧板切り替え部材の切り替えにより、第１寸法の綴じ針モード、第２寸法の綴じ針モード、開孔モード、及び収納モードに切り替えられるようになる。【選択図】  図７
2008264992.tif 000002
【特許請求の範囲】
【請求項１】
ベースと、第１寸法の綴じ針を収納する第１の針マガジンと、前記第１の針マガジンの外部に設けられて、第２寸法の綴じ針を収納する第２の針マガジンと、前記第２の針マガジンの上方に設けられて、前記第２の針マガジンとスライド式に接続された針マガジンスライドレールと、前記第２の針マガジンの前端部に設けられ、前記第２の針マガジンと平行に接続されて、各モードに切り替える綴じ針選択部材と、前記第１の針マガジンと前記第２の針マガジンの前端部の上方に設けられて、各モードに切り替える押圧板切り替え部材と、上蓋と、を含むことを特徴とする切り替えモードのある多機能ステープラー。
【請求項２】
前記ベースは更に、前記第１の針マガジンと前記第２の針マガジンを固定および飛び出させる針マガジンスイッチを含むことを特徴とする請求項１に記載の多機能ステープラー。
【請求項３】
前記針マガジンスイッチは更に、前記第１の針マガジン及び前記第２の針マガジンの飛び出の動作をスタータする針マガジンボタンを含むことを特徴とする請求項２に記載の多機能ステープラー。
【請求項４】
前記上蓋の表面は更に、収納スイッチを含むことを特徴とする請求項１に記載の多機能ステープラー。
【請求項５】
前記ベースの上方は更に、開孔の動作を実施する開孔レバーを含むことを特徴とする請求項１に記載の多機能ステープラー。
【請求項６】
ベースと、第１寸法の綴じ針を収納する第１の針マガジンと、前記第１の針マガジンの外部に設けられて、第２寸法の綴じ針を収納する第２の針マガジンと、前記第２の針マガジンの上方に設けられて、前記第２の針マガジンとスライド式に接続された針マガジンスライドと、前記第２の針マガジンの前端部に設けられ、前記第２の針マガジンと平行に接続されて，各モードに切り替える綴じ針選択部材と、前記第１の針マガジンと前記第２の針マガジンの前端部の上方に設けられて、各モードに切り替える押圧板切り替え部材と、上蓋とを含む切り替えモードのある多機能ステープラーを提供するステップと、前記綴じ針選択部材を段位に切り替えていない状態である初期状態にするステップと、前記押圧板切り替え部材を段位に切り替えていない状態である初期状態にするステップと、前記多機能ステープラーを圧し下げて、前記第１寸法の綴じ針使うモードを使用するステップと、を有する切り替えモードのある多機能ステープラーの第１寸法の綴じ針モードに切り替える方法。
【請求項７】
ベースと、第１寸法の綴じ針を収納する第１の針マガジンと、前記第１の針マガジンの外部に設けられて、第２寸法の綴じ針を収納する第２の針マガジンと、前記第２の針マガジンの上方に設けられて、前記第２の針マガジンとスライド式に接続された針マガジンスライドと、前記第２の針マガジンの前端部に設けられ、前記第２の針マガジンと平行に接続されて，各モードに切り替える綴じ針選択部材と、前記第１の針マガジンと前記第２の針マガジンの前端部の上方に設けられて、各モードに切り替える押圧板切り替え部材と、上蓋とを含む切り替えモードのある多機能ステープラーを提供するステップと、  前記綴じ針選択部材を段位に切り替えるステップと、前記押圧板切り替え部材を段位に切り替えるステップと、前記多機能ステープラーを圧し下げて、前記第２寸法の綴じ針使うモードを使用するステップと、を有する切り替えモードのある多機能ステープラーの第２寸法の綴じ針モードに切り替える方法。
【請求項８】
上方に開孔レバーを有して開孔動作を実施するベースと、第１寸法の綴じ針を収納する第１の針マガジンと、前記第１の針マガジンの外部に設けられて、第２寸法の綴じ針を収納する第２の針マガジンと、前記第２の針マガジンの上方に設けられて、前記第２の針マガジンとスライド式に接続された針マガジンスライドと、前記第２の針マガジンの前端部に設けられ、前記第２の針マガジンと平行に接続されて，各モードに切り替える綴じ針選択部材と、前記第１の針マガジンと前記第２の針マガジンの前端部の上方に設けられて、各モードに切り替える押圧板切り替え部材と、上蓋とを含む切り替えモードのある多機能ステープラーを提供するステップと、前記綴じ針選択部材を段位に切り替えていない状態である初期状態にするステップと、  前記押圧板切り替え部材を段位に切り替えるステップと、  前記多機能ステープラーを圧し下げて、開孔モードを使用するステップと、を有する切り替えモードのある多機能ステープラーの開孔モードに切り替える方法。
【請求項９】
上方に開孔レバーを有して開孔動作を実施するベースと、第１寸法の綴じ針を収納する第１の針マガジンと、前記第１の針マガジンの外部に設けられて、第２寸法の綴じ針を収納する第２の針マガジンと、前記第２の針マガジンの上方に設けられて、前記第２の針マガジンとスライド式に接続された針マガジンスライドと、前記第２の針マガジンの前端部に設けられ、前記第２の針マガジンと平行に接続されて，各モードに切り替える綴じ針選択部材と、前記第１の針マガジンと前記第２の針マガジンの前端部の上方に設けられて、各モードに切り替える押圧板切り替え部材と、上蓋とを含む切り替えモードのある多機能ステープラーを提供するステップと、前記綴じ針選択部材を段位に切り替えてない状態である初期状態にするステップと、  前記押圧板切り替え部材を段位に切り替えるステップと、  前記多機能ステープラーを圧し下げて、開孔モードを使用するステップと、  前記収納スイッチを推進して、前記多機能ステープラーを収納モードに切り替えるステップと、を有する切り替えモードのある多機能ステープラーの収納モードに切り替える方法。
【請求項１０】
ベースと、第１寸法の綴じ針を収納する第１の針マガジンと、前記第１の針マガジンの外部に設けられて、第２寸法の綴じ針を収納する第２の針マガジンと、前記第２の針マガジンの上方に設けられて、前記第２の針マガジンとスライド式に接続された針マガジンスライドと、前記第２の針マガジンの前端部に設けられ、前記第２の針マガジンと平行に接続されて，各モードに切り替える綴じ針選択部材と、前記第１の針マガジンと前記第２の針マガジンの前端部の上方に設けられて、各モードに切り替える押圧板切り替え部材と、前記第１の針マガジンと前記第２の針マガジンを固定/退出する針マガジンスイッチと、上蓋とを含む切り替えモードのある多機能ステープラーを提供するステップと、前記針マガジンスイッチを押し下げて、前記第１の針マガジン及び前記第２の針マガジンを退出させるステップと、  必要な綴じ針を装填するステップと、前記第１の針マガジン及び前記第２の針マガジンを押し戻って、前記多機能ステープラーを初期状態に回復させるステップと、を有する切り替えモードのある多機能ステープラーの装填方法。
【発明の詳細な説明】
【技術分野】
【０００１】
この発明は、切り替えモードのある多機能ステープラーに関し、具体的に、大きい寸法の綴じ針モード、小さい寸法の綴じ針モード、開孔モード、及び収納モードを備える多機能ステープラー及各モードの切り替え方法に関する。
【背景技術】
【０００２】
現今の社会で、コンピュータの盛んな発展のため、いかなる書類もコンピュータを用いて完成することができる。しかし、コンピュータを用いた書類は、最後は印刷又はプリントの技術を用いて完全に現せる必要があり、この印刷又はプリントの技術は手書きと同様に紙を使うので、この書類は必然的に大量でバラバラの紙になり、しかしながら、書類の一致性の要求に基づいて、ステープラーを用いてこの大量でバラバラの書類を一斉に結合することができる。
【０００３】
前述ステープラーの原理は、このステープラーの内部に収納された綴じ針を用いて、この綴じ針の両側の針足をこの書類に貫通させ、且つこの書類の裏でこの針足を曲がらせて、永久に書類を固定することができ、ステープラーの価格が安価で、使用上便利である等の長所があるため、事務室又はその他の場所で、広く普及している。
【０００４】
しかし、従来のステープラーはほとんど小さい寸法の綴じ針、即ち１０号の綴じ針を使うが、この綴じ針の装丁力は約１５ページのみで、書類のページ数が１５ページを超えると、装丁力が３０ページになるステープラーを使わなければならなく、この類のステープラーは大きい寸法の綴じ針、即ち３号の綴じ針を使う。現下の市場にも二つの規格の綴じ針を同時に使用できるステープラーがあって、現下の二つの規格寸法の綴じ針が使用できるステープラーは単一針マガジンを提供し、大きい寸法の綴じ針又は小さい寸法の綴じ針が選択的に使用される。即ち、異なる寸法の綴じ針の使用が必要になると、先ず上蓋を開けて、必要な綴じ針を取替えなければならない。綴じ針を補充する時にも上蓋を開けて綴じ針を補充しなければならない。こんな使い方は、時間が掛かる他にも、綴じ針の取替え、又は補充の時に不便であり、及び装丁の適用性が足りなくて、且つ綴じ針の取替え、又は補充の時、不注意で指がベースのニードルプレートを攫むと、意外な傷を受ける可能性があって、使用の危険性が増える。なお、必要な綴じ針の取替え、又は補充が終わった後、下方に作用力を加えてこの上蓋を閉じて、この綴じ針を定位置に係止させる必要があるが、この動作は往々に第１支綴じ針の空打ちを発生させる。即ち、この綴じ針は綴じらせたが、いかなる書類にも固定しなくて、第１本の綴じ針の無駄な消費を起こす。
【０００５】
従来のステープラーの入力と出力との割合は１：１であるため、ページ数の多い書類を装丁する時、多い力の消耗が必要である他にも、この綴じ針の綴じも曲がらせ易くて、綴じ針の無駄な消費を起こす。なお、前述３号の綴じ針を使うステープラーの体積が大きすぎ、重量が重すぎて、且つ使用しない状況には完全に閉じられなくて、収納性が悪く、携帯性も悪い。
【０００６】
上で述べたように、この上蓋を開かないで二つの異なる寸法の綴じ針を切り替えられる他にも、綴じ針を補充する時に、この針マガジンを退出させるだけで、補充の動作を行うことができ、且つこの多機能ステープラーを使わない時にも、まだ開孔の機能を有し、又はこの多機能ステープラーを完全に閉じらせて収納し易くでき、従って、使用し易く、綴じ針の取替えの便利性と安全性が増え、空間の節約と携帯性を有し、且つ綴じ針が無駄な消費を起こさない切り替えモードのある多機能ステープラーを提供する必要がある。
【発明の開示】
【発明が解決しようとする課題】
【０００７】
本発明は、切り替えモードのある多機能ステープラー及各モードの切り替え方法を提供することを課題とする。
【０００８】
本発明の主な目的は、第１寸法及び第２寸法の綴じ針をそれぞれ収納する第１の針マガジン及び第２の針マガジンと、必要な寸法の綴じ針に切り替える綴じ針選択部材と、切り替えた綴じ針に対して作用力を加える押圧板切り替え部材と、綴じ針を補充する時に第１の針マガジンと第２の針マガジンの退出動作を実施する針マガジンスイッチと、を備えた切り替えモードのある多機能ステープラーを提供することである。
【０００９】
本発明の他の目的は、綴じ針を収納する針マガジンと、この綴じ針に対して作用力を加える押圧板と、開孔の動作を実施する開孔機と、収納スイッチを有した上蓋と、を備えた切り替えモードのある多機能ステープラーを提供することである。
【００１０】
本発明のその他の目的は、この上蓋を開かない場合に第１寸法の綴じ針の使用に切り替えられる切り替えモードのある多機能ステープラー及びこのモードに切り替える方法を提供することである。
【００１１】
本発明のその他の目的は、この上蓋を開かない場合に第２寸法の綴じ針の使用に切り替えられる切り替えモードのある多機能ステープラー及びこのモードに切り替える方法を提供することである。
【００１２】
本発明のその他の目的は、多機能ステープラーを使わない場合に、開孔の機能の使用に切り替えられる切り替えモードのある多機能ステープラー及びこのモードに切り替える方法を提供することである。
【００１３】
本発明のその他の目的は、多機能ステープラーを使わない場合に、多機能ステープラーを完全に閉じらせて、収納し易くすることができる切り替えモードのある多機能ステープラー及びこのモードに切り替える方法を提供することである。
【００１４】
本発明のその他の目的は、この上蓋を開かない場合に、この針マガジンを退出させるだけで補充の動作が実施できる、前述の切り替えモードのある多機能ステープラー及びこのモードに切り替える方法を提供することである。
【課題を解決するための手段】
【００１５】
そこで、本発明者は従来の技術に見られる欠点に鑑みて鋭意研究を重ねた結果、下記の装置によって、本発明の課題が解決される点に着眼し、かかる知見に基づき本発明を完成させた。
【００１６】
以下、この発明について具体的に説明する。
前述の発明の目的を達成するために、本発明の切り替えモードのある多機能ステープラーは、第１寸法及び第２寸法の綴じ針をそれぞれ収納する第１の針マガジン及び第２の針マガジンと、必要な綴じ針に切り替える綴じ針選択部材と、切り替えられた綴じ針に対して作用力を加える押圧板切り替え部材と、綴じ針を補充する時、第１の針マガジンと第２の針マガジンの退出の動作を実施する針マガジンスイッチとを備え、また、多機能ステープラーは、開孔の動作を実施する開孔機を備え、且つ、上蓋には、多機能ステープラーを完全に閉じらせて、収納の機能に達する収納スイッチを備える。
【００１７】
なお、本発明による切り替えモードのある多機能ステープラーは、綴じ針選択部材と押圧板切り替え部材を切り替えることにより、第１寸法の綴じ針モード、第２寸法の綴じ針モード、開孔モード、及び収納モードに切り替えられることができる。且つ、これらの綴じ針を装填する時は、針マガジンスイッチを用いて第１の針マガジンと第２の針マガジンを退出させるだけでよい。
【発明の効果】
【００１８】
上で述べたように、本発明における切り替えモードのある多機能ステープラーは、この上蓋を開かない場合に２種類の異なる寸法の綴じ針を切り替えられる他にも、綴じ針を補充する時、この針マガジンを退出させるだけで補充の動作を実施することができ、且つ、多機能ステープラーを使わない場合にも、開孔の機能を有し、また多機能ステープラーを完全に閉じらせて、収納し易くすることができる。従って、使用し易く、綴じ針の取替えの便利性と安全性が増え、空間の節約と携帯性を有し、且つ綴じ針の無駄な消費を起こさない。
【発明を実施するための最良の形態】
【００１９】
本発明における切り替えモードのある多機能ステープラーは、第１寸法の綴じ針及び第２寸法の綴じ針をそれぞれ収納する第１の針マガジン及び第２の針マガジンを備える。図１で、本発明による望ましい実施例の第１の針マガジン１０１及び第２の針マガジン１０２を示している。図１に示すように、第１の針マガジン１０１は、第２の針マガジン１０２の内部に設けられて、且つ第２の針マガジン１０２とお互いに固定的に接続されているが、第１の針マガジン１０１の左、右の外側と第２の針マガジン１０２の左、右の内側とに間隔が保たされる。即ち第１の針マガジン１０１の寸法が第２の針マガジン１０２の寸法より小さい。なお、第２の針マガジン１０２の外側には、相対的に長手状の板１０２aをさらに備える。ここで、第１の針マガジン１０１は小寸法の綴じ針（即ち、後の図６から図１２の第１寸法の綴じ針６０である）を収納し、第２の針マガジン１０２は大寸法の綴じ針（即ち、後の図６から図１２第２寸法の綴じ針６１である）を収納することがはっきり理解できる。第１寸法の綴じ針６０と第２寸法の綴じ針６１とが同時に第１の針マガジン１０１と第２の針マガジン１０２の内に収納されると、第２寸法の綴じ針６１の２本の針足は第１の針マガジン１０１と第２の針マガジン１０２の間に備える間隔内に収納される。第２寸法の綴じ針６１は第１寸法の綴じ針６０の上方を覆う。
【００２０】
図２を参照すると、本発明の多機能ステープラーは、第１の綴じ針プッシャ１０６及び第２の綴じ針プッシャ１０７と、それぞれ長手状である第１のバネスライド１０６aと第２のバネスライド１０７aとをまた備え、第１のバネスライド１０６aは第２のバネスライド１０７aの下方に設けられる。第１の押しブロック１０６bは、中空矩形モジュールであって、第１のバネスライド１０６aに被せ、可動式押しブロックになる。第２の押しブロック１０７bは、L型の中身のないモジュールであって、第２のバネスライド１０７aに被せ、可動式押しブロックになる。ここで、第２の押しブロック１０７bの内部が中身のない構造であるため、第１の押しブロック１０６bと第２の押しブロック１０７bとが同時に第１のバネスライド１０６aと第２のバネスライド１０７aとに被せて設けられる時、第１の押しブロック１０６bが第２の押しブロック１０７bの下方の中身のない所を貫通することができる。図２では第１のバネスライド１０６aと第２のバネスライド１０７aの一方側のバネ１０６c、１０７c及びU型槽１０６d、１０７dのみを示すが、図示していない他方側にも、バネ１０６c、１０７c及びU型槽１０６d、１０７dと同じバネ及びU型槽(図に示せず)を同様に備えている。バネ１０６c、１０７cはU型槽１０６d、１０７dに囲まれて設けられ、且つバネ１０６c、１０７cの一端部は第１のバネスライド１０６aと第２のバネスライド１０７aの先端にそれぞれ掛けられ、他端部は第１の押しブロック１０６bと第２の押しブロック１０７bの前端部にそれぞれ掛けられて、したがって、第１の綴じ針プッシャ１０６と第２の綴じ針プッシャ１０７の組み立てを完成する。
【００２１】
図３を参照すると、第１の針マガジン１０１と第２の針マガジン１０２は針マガジンスライド１０３の内部に設けられる。第２の針マガジン１０２の外側は、板１０２aを用いて針マガジンスライド１０３の内側に係止されて、スライド式に接続されている。第２の針マガジン１０２の前端部には、逆U字状の手段であって、その末端は第２の針マガジン１０２の前端部の両側に接続されると共に、第２の針マガジン１０２と垂直に設けられて、第１の綴じ針押圧板２０２の動作を制限する綴じ針フラップ２０１を備える。綴じ針選択部材１０４も、逆U字状の手段であって、第２の針マガジン１０２の前端部に設けられ、且つその末端は第２の針マガジン１０２の前端部の両側に接続されると共に、第２の針マガジン１０２と平行に設けられている。綴じ針フラップ２０１の上方には綴じ針押圧板凹部２０４を有し、その内部には、第１寸法の綴じ針６０を圧し出す第１の綴じ針押圧板２０２と、第２寸法の綴じ針６１を圧し出す第２の綴じ針押圧板２０３とを備える。第１の綴じ針プッシャ１０６と第２の綴じ針プッシャ１０７は、第１、第２の針マガジン１０１、１０２内部の綴じ針を押すために、第１の針マガジン１０１の内部に設けられる。
【００２２】
図４は、本発明の実施例による多機能ステープラーのベース１０８を示す。図４に示すように、ベース１０８の後端には、閉じた時に開孔モードから出された紙くずを保存する可動カバー５０５を有する。可動カバー５０５は、回転軸５０５aを通して基板に接続されているため、収容した紙くずが一定程度の量になったときに、可動カバー５０５の全部を取り除く必要がなく、可動カバー５０５を開けて紙くずを排出することができる。ベース１０８の前端部には、固定的な距離の装丁間隔を保持させるポジショナー５０６を備え、必要な距離に基づいてこのポジショナー５０６を調節して、書類装丁の一致性を達成する。また、可動カバー５０５の上方に針マガジンスイッチ５０１をさらに備え、図４に示すように、針マガジンスイッチ５０１には、第１の針マガジン１０１及び第２の針マガジン１０２を定位に固定する針マガジンフック５０２を備える。針マガジンフック５０２の上方には、自身の弾力を用いて第１の針マガジン１０１及び第２の針マガジン１０２を推進する針マガジン弾性片５０３を備え、針マガジン弾性片５０３の後方には、この針マガジンの退出動作を駆動する針マガジンボタン５０４を備える。
【００２３】
図５は、本発明の実施例による多機能ステープラーの上蓋１０９の構造を示す。図５に示すように、上蓋１０９の後端には収納スイッチ１１０を備え、収納スイッチ１１０を上方に推進すると、即ちこの収納スイッチ１１０を始動すると、上蓋１０９を押圧板切り替え部材１０５と隣接するようにして、多機能ステープラー１０の緊密状態を保持させることができる。押圧板切り替え部材１０５はスライド部材である。その下方は図３に示す第１の綴じ針押圧板２０２と第２の綴じ針押圧板２０３とに接触するようになっている。また、上蓋１０９の下方には、綴じ針レバー６０２の上方に設けられる押圧レバー６０１をさらに備える。上蓋１０９を圧し下げる時、押圧レバー６０１は一部の作用力を分担する目的を達成する。
【００２４】
図６は、本発明の多機能ステープラーの第１綴じ針モードに切り替える説明図を示す。このモードは一般な厚さ（約１５ページ）の書類を装丁し、綴じ針選択部材１０４と押圧板切り替え部材１０５とはシフトしてない状態、即ち初期状態である。図６に示すように、綴じ針選択部材１０４は第２寸法の綴じ針６１を第１の綴じ針押圧板２０２と第２の綴じ針押圧板２０３の後方まで後方に押し入らせ、且つ綴じ針フラップ２０１も同様に第１の綴じ針押圧板２０２と第２の綴じ針押圧板２０３の後方まで動かされて、さらに第１の綴じ針押圧板２０２を第１寸法の綴じ針６０の第１本目の綴じ針の上方に位置させる。図６に示す押圧板切り替え部材１０５も同様に後方に押し入られて、第１の綴じ針押圧板２０２と第２の綴じ針押圧板２０３を同時に固定する。この時、上蓋１０９を圧し下げると、押圧板切り替え部材１０５は第１の綴じ針押圧板２０２と第２の綴じ針押圧板２０３を同時に押し下げ、第２の綴じ針押圧板２０３は第２の針マガジン１０２の前端部に備えた隙間内を下方に移動し、いかなる綴じ針も圧さない。しかしながら、第１の綴じ針押圧板２０２は第１寸法の綴じ針６０の第１本目の綴じ針を圧し下げて、第１綴じ針モードに切り替える。
【００２５】
前述第１綴じ針モードで、第１の押しブロック１０６bは第１寸法の綴じ針６０の押し出しを受けたため、後方の第１のバネスライド１０６aの前端部までの押されにより、この時バネ１０６cは引き出されてバネ位置エネルギーを貯蔵する。続いて、一本の綴じ針を圧し下げた後毎に、バネ１０６cはバネ位置エネルギーを少しずつ徐々に放出して、初期状態、即ち引き出されてない状態に回復する。しかしながら、第１の押しブロック１０６bはバネ１０６cとお互いに接続されるため、バネ１０６cは第１の押しブロック１０６bを動かして持続的に前方に推進し、従って、第１寸法の綴じ針６０を第１の針マガジン１０１の前端部まで持続的に推進する。
【００２６】
図７は、本発明の多機能ステープラーの第２綴じ針モードに切り替える説明図を示す。このモードは厚さの厚い（約３０ページ）書類を装丁し、綴じ針選択部材１０４と押圧板切り替え部材１０５はそれぞれシフトした状態である。図７に示すように、綴じ針選択部材１０４は前方に引き出されて、第２の押しブロック１０７bがバネ１０７cが放出するバネエネルギーの作用を受けるようにし、第２寸法の綴じ針６１を第１寸法の綴じ針６０の前方まで押し、且つ綴じ針フラップ２０１も第１寸法の綴じ針６０の前端部の上方まで引き出され、この時の第２の綴じ針押圧板２０３は第２寸法の綴じ針６１の第１本目の綴じ針の上方に位置する。図７に示す押圧板切り替え部材１０５も同様に前方に押し出されて、第２の綴じ針押圧板２０３を固定する。この時、上蓋１０９を圧し下げると、押圧板切り替え部材１０５は第２の綴じ針押圧板２０３を圧し下げ、第１の綴じ針押圧板２０２は綴じ針フラップ２０１によって阻止されるため下方に加圧できず、逆に押圧板切り替え部材１０５の後端に備えた隙間内を上方に移動して、いかなる綴じ針も圧しない。しかしながら、第２の綴じ針押圧板２０３は第２寸法の綴じ針６１の第１本目の綴じ針を圧し下げて、第２綴じ針モードに切り替える。
【００２７】
前述の第２綴じ針モードで、第２の押しブロック１０７bが第２寸法の綴じ針６１の押し出しを受けて、後方の第２のバネスライド１０７aの前端部までの押されにより、この時バネ１０７cは引き出されてバネエネルギーを貯蔵する。続いて、一本の綴じ針を圧し下げた後毎に、バネ１０７cはバネ位置エネルギーを少しずつ徐々に放出して、初期状態、即ち引き出されてない状態に回復する。しかしながら、第２の押しブロック１０７bはバネ１０７cとお互いに接続されるため、バネ１０７cは第２の押しブロック１０７bを動かして持続的に前方に推進し、従って、第２寸法の綴じ針６１を第２の針マガジン１０２の前端部まで持続的に推進する。
【００２８】
図８は、本発明の実施例による多機能ステープラーの安全モードに切り替える説明図を示す。このモードは、使用者が第１綴じ針モード、第２綴じ針モードに切り替える時に正確に切り替え、多機能ステープラー１０が故障が発生しないように確保し、綴じ針選択部材１０４はシフトした状態であり、押圧板切り替え部材１０５はシフトしてない状態である。図８に示すように、綴じ針選択部材１０４は前方に引き出されて、第２の押しブロック１０７bがバネ１０７cが放出するバネエネルギーの作用を受けるようにし、第２寸法の綴じ針６１を第１寸法の綴じ針６０の前方まで押すことができ、且つ綴じ針フラップ２０１も第１寸法の綴じ針６０の前端部の上方まで引き出され、この時第２の綴じ針押圧板２０３は第２寸法の綴じ針６１の第１本目の綴じ針の上方に位置する。図８に示す押圧板切り替え部材１０５は後に押し入られて、第１の綴じ針押圧板２０２と第２の綴じ針押圧板２０３とを同時に固定する。この時、上蓋１０９を押し下げると、第１の綴じ針押圧板２０２は綴じ針フラップ２０１に阻止されて下方に加圧することができず、且つこのモードで、第１の綴じ針押圧板２０２の上方も同様に押圧板切り替え部材１０５により固定されて、図７に示すように押圧板切り替え部材１０５の後端に備えた隙間内を上方に移動することができなくなり、従って、第１の綴じ針押圧板２０２は押圧板切り替え部材１０５と綴じ針フラップ２０１の間に係止されて、上蓋１０９を押し下げる動作を実施することができなくなり、従って、使用者が綴じ針選択部材１０４と押圧板切り替え部材１０５とが必要な段位に切り替えたか否かを再び確認することができるようにする。
【００２９】
前述的安全モードがないと、使用者が綴じ針選択部材１０４と押圧板切り替え部材１０５とをこの段位に切り替え、上蓋１０９を圧し下げる場合、第１の綴じ針押圧板２０２と第２の綴じ針押圧板２０３は共に第２寸法の綴じ針６１を圧し下げ、さらに多機能ステープラー１０の故障の発生を起こす。
【００３０】
図９は、本発明の実施例による多機能ステープラーの開孔モードに切り替える説明図を示す。このモードは書類をさらに開孔するときに使用され、綴じ針選択部材１０４はシフトしてない状態であり、押圧板切り替え部材１０５はシフトした状態である。図９に示すように、綴じ針選択部材１０４は第２寸法の綴じ針６１を第１の綴じ針押圧板２０２と第２の綴じ針押圧板２０３の後方まで後方に押し入られ、且つ綴じ針フラップ２０１も同様に第１の綴じ針押圧板２０２と第２の綴じ針押圧板２０３の後方まで動かされ、さらに第１の綴じ針押圧板２０２を第１寸法の綴じ針６０の第１本目の綴じ針の上方に位置させる。図に示す押圧板切り替え部材１０５は前方に押し出されて、第２の綴じ針押圧板２０３を固定する。
【００３１】
図１０は、本発明の実施例による多機能ステープラーの開孔機の使用説明図を示す。図１０に示すように、綴じ針選択部材１０４と押圧板切り替え部材１０５はともに図９に示す段位に切り替えられ、この時、上蓋１０９を圧し下げると、第１の綴じ針押圧板２０２は押圧板切り替え部材１０５の後端に備えた隙間内を上方に移動し、押圧板切り替え部材１０５は第２の綴じ針押圧板２０３を第２の針マガジン１０２の前端部に備えた隙間内を下方に移動させ、したがって、第１の綴じ針押圧板２０２と第２の綴じ針押圧板２０３とは共にいかなる綴じ針も押さないが、この時多機能ステープラー１０の後端に位置する開孔レバー７０１が圧し下げる作用力を受けて、圧し下げる動作が発生され、開孔モードの切り替えに達する。
【００３２】
図１１は、本発明の実施例による多機能ステープラーの収納モードの説明図を示す。このモードは多機能ステープラー１０を緊密な状態に保持させて、携帯と収納において便利になる。図１１に示すように、綴じ針選択部材１０４と押圧板切り替え部材１０５とを共に図９に示す段位に切り替え、且つ図１０に示すように、上蓋１０９を圧し下げて、この時、収納スイッチ１１０を上方に推進する、即ち収納スイッチ１１０を始動するだけで、収納スイッチの先端に位置する第１逆フック１１０aは開孔レバー支持板７０２の先端の対応する第２逆フック７０２aに係止されて、上蓋１０９を押圧板切り替え部材１０５に隣接させ、従って、多機能ステープラー１０を緊密な状態を保持させ、さらに収納モードの切り替えに達する。
【００３３】
前述各モードで、針マガジンは針マガジンフック５０２を用いて固定の状態を維持し、この時の針マガジン弾性片５０３は、針マガジンからの押し出しを受けてバネのエネルギーを貯蔵する。図１２は、本発明の実施例による多機能ステープラーの綴じ針を補充する時の説明図を示す。図１２に示すように、第１寸法の綴じ針６０又は第２寸法の綴じ針６１の補充が必要である時、第２の針マガジンの飛び出の動作をスタータする針マガジンボタン５０４を圧し下げるだけで、補充が必要である針マガジンを針マガジンフック５０２が放出し、針マガジン弾性片５０３は自身が貯蔵したバネエネルギーを放出して、針マガジンを針マガジンスライド１０３に沿って退出させる。第１寸法の綴じ針６０又は第２寸法の綴じ針６１を補充した後、この針マガジンを押し戻らせて、針マガジンフック５０２を用いて固定する。
【００３４】
図１３は、本発明の実施例による多機能ステープラー１０の斜視図を示す。図１３に示すように、多機能ステープラー１０は、この上蓋を開かない場合に二つの違う寸法の綴じ針を切り替えられる他に、綴じ針を補充する時にも、この針マガジンを退出させるだけで、補充の動作を行うことができ、且つ多機能ステープラー１０を使わない時にも、開孔の機能を有し、又は多機能ステープラー１０を完全に閉じらせて収納し易くすることができ、したがって、使用し易く、綴じ針の取替えの便利性と安全性が増え、空間の節約と携帯性を有し、綴じ針の無駄な消費を起こさない。
【図面の簡単な説明】
【００３５】
【図１】本発明の実施例による多機能ステープラーの第１の針マガジン及び第２の針マガジンを示す斜視図である。
【図２】本発明の実施例による多機能ステープラー的第１の綴じ針プッシャ及第２の綴じ針プッシャを示す斜視図である。
【図３】本発明の実施例による多機能ステープラー的針マガジンの内部構造を示す図である。
【図４】本発明の実施例による多機能ステープラーのベースを示す図である。
【図５】本発明の実施例による多機能ステープラーの上蓋の構造を示す図である。
【図６】本発明の実施例による多機能ステープラーの第１綴じ針モードに切り替えるのを示す説明図である。
【図７】本発明の実施例による多機能ステープラーの第２綴じ針モードに切り替えるのを示す説明図である。
【図８】本発明の実施例による多機能ステープラーの安全モードに切り替えるのを示す説明図である。
【図９】本発明の実施例による多機能ステープラーの開孔モードに切り替えるのを示す説明図である。
【図１０】本発明の実施例による多機能ステープラーの開孔機の使用を示す説明図である。
【図１１】本発明の実施例による多機能ステープラーの収納モードを示す説明図である。
【図１２】本発明の実施例による多機能ステープラーの綴じ針を補充するのを示す説明図である。
【図１３】本発明の実施例による多機能ステープラーの斜視図である。
【符号の説明】
【００３６】
１０  多機能ステープラー
６０  第１寸法の綴じ針
６１  第２寸法の綴じ針
１０１  第１の針マガジン
１０２  第２の針マガジン
１０２a  板
１０３  針マガジンスライド
１０４  綴じ針選択部材
１０５  押圧板切り替え部材
１０６  第１の綴じ針プッシャ
１０６a  第１のバネスライド
１０６b  第１の押しブロック
１０６c、１０７c  バネ
１０６d、１０７d  U型槽
１０７  第２の綴じ針プッシャ
１０７a  第２のバネスライド
１０７b  第２の押しブロック
１０８  ベース
１０９  上蓋
１１０  収納スイッチ
１１０a  第１逆フック
２０１  綴じ針フラップ
２０２  第１の綴じ針押圧板
２０３  第２の綴じ針押圧板
２０４  綴じ針押圧板凹部
５０１  針マガジンスイッチ
５０２  針マガジンフック
５０３  針マガジン弾性片
５０４  針マガジンボタン
５０５  可動カバー
５０５a  回転軸
５０６  ポジショナー
６０１  押圧レバー
６０２  綴じ針レバー
７０２  開孔レバー支持板
７０２a  第２逆フック
【図１】
2008264992.tif 000003
【図２】
2008264992.tif 000004
【図３】
2008264992.tif 000005
【図４】
2008264992.tif 000006
【図５】
2008264992.tif 000007
【図６】
2008264992.tif 000008
【図７】
2008264992.tif 000009
【図８】
2008264992.tif 000010
【図９】
2008264992.tif 000011
【図１０】
2008264992.tif 000012
【図１１】
2008264992.tif 000013
【図１２】
2008264992.tif 000014
【図１３】
2008264992.tif 000015